【手続補正書】
【提出日】平成29年6月23日(2017.6.23)
【手続補正１】
【補正対象書類名】特許請求の範囲
【補正対象項目名】全文
【補正方法】変更
【補正の内容】
【特許請求の範囲】
【請求項１】
内周面に外輪軌道面を有する外輪と、
外周面に内輪軌道面を有する内輪と、
前記外輪軌道面と前記内輪軌道面との間に転動自在に配置される複数の円錐ころと、
軸方向に離間した大径リング部及び小径リング部と、該大径リング部及び小径リング部との間を繋ぐ複数の柱部と、を有し、前記円錐ころを収容保持する複数のポケットを画成する樹脂製保持器と、
を備える円錐ころ軸受において、
前記円錐ころ軸受の接触角αが３５°〜５５°であり、
前記内輪は、大径側端部と小径側端部のうち、大径側端部にのみ鍔部が形成され、且つ、
前記樹脂製保持器の大径リング部は、軸方向へ延伸する端部を有することを特徴とする円錐ころ軸受。
【請求項２】
前記柱部は、前記ポケットの内径側の少なくとも一部において、０．２ｍｍ〜０．７ｍｍのかかり代とし、前記ポケットの内径側開口幅が前記円錐ころのころ大径より狭くなるように形成され、且つ、前記ポケットの外径側の少なくとも一部において、０．１ｍｍ〜０．５ｍｍのかかり代とし、前記ポケットの外径側開口幅が前記円錐ころのころ小径より狭くなるように形成されることを特徴とする請求項１に記載の円錐ころ軸受。
【請求項３】
前記大径リング部の内周面には、該リング部の肉厚が前記柱部の肉厚よりも薄くなるように、２つ以上の面によって構成される切欠き部が設けられることを特徴とする請求項１又は２に記載の円錐ころ軸受。
【請求項４】
前記切欠き部は、前記大径リング部の肉厚が前記柱部の肉厚よりも薄くなるように、第１の面、第２の面、及び第１及び第２の面を接続する第３の面によって構成されることを特徴とする請求項３に記載の円錐ころ軸受。
【請求項５】
前記大径リング部の肉厚が前記柱部の肉厚の４０〜８０％であり、且つ、
前記柱部の肉厚が前記円錐ころのころ平均径の３０〜７０％であることを特徴とする請求項３又は４に記載の円錐ころ軸受。
【請求項６】
前記保持器の傾斜角度は、３２°３０´以上５５°以下に設定されることを特徴とする請求項１〜５のいずれか１項に記載の円錐ころ軸受。
【請求項７】
前記外輪の大径側端部と前記内輪の小径側端部の少なくとも一方には、軸方向に延びる軸方向延長部が形成されることを特徴とする請求項１〜６のいずれか１項に記載の円錐ころ軸受。 
【手続補正２】
【補正対象書類名】明細書
【補正対象項目名】０００１
【補正方法】変更
【補正の内容】
【０００１】
本発明は、円錐ころ軸受、特に、自動車、鉄道車両、建設機械、工作機械、搬送装置、組立装置等に好適に使用可能な円錐ころ軸受に関する。 
【手続補正３】
【補正対象書類名】明細書
【補正対象項目名】０００９
【補正方法】変更
【補正の内容】
【０００９】
本発明の上記目的は、下記の構成により達成される。
（１）  内周面に外輪軌道面を有する外輪と、
外周面に内輪軌道面を有する内輪と、
前記外輪軌道面と前記内輪軌道面との間に転動自在に配置される複数の円錐ころと、
軸方向に離間した大径リング部及び小径リング部と、該大径リング部及び小径リング部との間を繋ぐ複数の柱部と、を有し、前記円錐ころを収容保持する複数のポケットを画成する樹脂製保持器と、
を備える円錐ころ軸受において、
前記円錐ころ軸受の接触角αが３５°〜５５°であり、
前記内輪は、大径側端部と小径側端部のうち、大径側端部にのみ鍔部が形成され、且つ、
前記樹脂製保持器の大径リング部は、軸方向へ延伸する端部を有することを特徴とする円錐ころ軸受。
（２）  前記柱部は、前記ポケットの内径側の少なくとも一部において、０．２ｍｍ〜０．７ｍｍのかかり代とし、前記ポケットの内径側開口幅が前記円錐ころのころ大径より狭くなるように形成され、且つ、前記ポケットの外径側の少なくとも一部において、０．１ｍｍ〜０．５ｍｍのかかり代とし、前記ポケットの外径側開口幅が前記円錐ころのころ小径より狭くなるように形成されることを特徴とする（１）に記載の円錐ころ軸受。
（３）  前記大径リング部の内周面には、該リング部の肉厚が前記柱部の肉厚よりも薄くなるように、２つ以上の面によって構成される切欠き部が設けられることを特徴とする（１）又は（２）に記載の円錐ころ軸受。
（４）  前記切欠き部は、前記大径リング部の肉厚が前記柱部の肉厚よりも薄くなるように、第１の面、第２の面、及び第１及び第２の面を接続する第３の面によって構成されることを特徴とする（３）に記載の円錐ころ軸受。
（５）  前記大径リング部の肉厚が前記柱部の肉厚の４０〜８０％であり、且つ、
前記柱部の肉厚が前記円錐ころのころ平均径の３０〜７０％であることを特徴とする（３）又は（４）に記載の円錐ころ軸受。
（６）  前記保持器の傾斜角度は、３２°３０´以上５５°以下に設定されることを特徴とする（１）〜（５）のいずれかに記載の円錐ころ軸受。
（７）  前記外輪の大径側端部と前記内輪の小径側端部の少なくとも一方には、軸方向に延びる軸方向延長部が形成されることを特徴とする（１）〜（６）のいずれかに記載の円錐ころ軸受。 
【手続補正４】
【補正対象書類名】明細書
【補正対象項目名】００２５
【補正方法】変更
【補正の内容】
【００２５】
表１は、柱部１３の大径リング部寄りの突出部１４でのかかり代（Ｄｗ１−Ｗ１）を０．２〜０．７ｍｍの間で０．１ｍｍずつ変えて、柱部１３の小径リング部寄りの突出部１５でのかかり代（Ｄｗ２−Ｗ２）を０．１ｍｍ〜０．５ｍｍの間で０．１ｍｍずつ変えて、ころ挿入性及びころ保持性を試験した結果を示している。なお、その他の条件については、同一としている。また、ころ挿入性及びころ保持性の両方が良好である場合は◎とし、ころ挿入性及びころ保持性のいずれかが◎の場合よりも低いが実施可能である場合は○とし、ころ挿入性及びころ保持性のいずれかが実施不可能である場合は×とする。 
【手続補正５】
【補正対象書類名】明細書
【補正対象項目名】００２６
【補正方法】変更
【補正の内容】
【００２６】
この結果から、柱部１３の大径リング部寄りの突出部１４でのかかり代（Ｄｗ１−Ｗ１）を０．２ｍｍ〜０．７ｍｍとし、柱部１３の小径リング部寄りの突出部１５でのかかり代（Ｄｗ２−Ｗ２）を０．１ｍｍ〜０．５ｍｍとすることが好ましいことがわかる。特に、ころ挿入性ところ保持性との良好なバランスの観点から、柱部１３の大径リング部寄りの突出部１４でのかかり代（Ｄｗ１−Ｗ１）を０．２ｍｍ〜０．５ｍｍとし、柱部１３の小径リング部寄りの突出部１５でのかかり代（Ｄｗ２−Ｗ２）を０．１ｍｍ〜０．３ｍｍとすることが好ましい。 
【手続補正６】
【補正対象書類名】明細書
【補正対象項目名】００２７
【補正方法】変更
【補正の内容】
【００２７】
【表１】
2016008642.tif 000001
【手続補正７】
【補正対象書類名】明細書
【補正対象項目名】００３７
【補正方法】変更
【補正の内容】
【００３７】
さらに、柱部１３は、大径リング部寄りの突出部１４において、０．２ｍｍ〜０．７ｍｍのかかり代とし、ポケットＰの内径側開口幅Ｗ１が円錐ころ４のころ大径Ｄｗ１より狭くなるように形成され、且つ、小径リング部寄りの突出部１５において、０．１ｍｍ〜０．５ｍｍのかかり代とし、ポケットＰの外径側開口幅Ｗ２が円錐ころ４のころ小径Ｄｗ２より狭くなるように形成される。このように、保持器１０のかかり代を設定することで、保持器１０のころ保持性能を向上させ、円錐ころ４と保持器１０の一体化を実現している。よって、本実施形態の円錐ころ軸受１に採用される保持器１０は、本来円錐ころ４を保持する機能を果たす内輪小鍔の代わりにその役割を担うことを実現しており、接触角が３５°〜５５°の急勾配円錐ころ軸受１のころ落下を有効的に抑制することができる。
即ち、柱部１３は、ポケットＰの内径側の少なくとも一部において、０．２ｍｍ〜０．７ｍｍのかかり代とし、ポケットＰの内径側開口幅Ｗ１が円錐ころ４のころ大径Ｄｗ１より狭くなるように形成され、且つ、ポケットＰの外径側の少なくとも一部において、０．１ｍｍ〜０．５ｍｍのかかり代とし、ポケットＰの外径側開口幅Ｗ２が円錐ころ４のころ小径Ｄｗ２より狭くなるように形成されればよい。